(57)【要約】【課題】多心線光ファイバテープ心線を個々の光ファイバ心線に正確に分離することのできる作業性に優れた携帯可能な分離工具を提供する。【解決手段】複数の心線で構成された光ファイバを平面的に配列し一体的に被覆した多心線光ファイバテープ心線３６を少なくとも１本の光ファイバ心線に分離する分離工具であって、光ファイバテープ心線３６を狭持する保持部材２と、該保持部材２に設けられて前記光ファイバテープ心線を収容する溝状部７と、溝状部７内に突出し、光ファイバテープ心線３６の長手方向に１．５ｍｍ以上の間隔ａ１、ａ２をもって配設された複数の分割刃１１〜１６とを備える。光ファイバテープ心線３６を溝状部７内に収容しつつ溝状部７内を通過させるように光ファイバ心線３６を長手方向に摺動させることにより、分割刃１１〜１６により光ファイバテープ心線を単心線に分離する。【選択図】　　　図６
2004094143.tif 000002
【特許請求の範囲】
【請求項１】
複数の光ファイバ心線を平面的に配列し一体的に被覆した多心線からなる光ファイバテープ心線を、単心の光ファイバ心線に分離する工具であって、
（ａ）　第１の部材と第２の部材とにより前記光ファイバテープ心線を挟み込み長手方向に摺動可能に保持する保持部材と、
（ｂ）　少なくとも前記第１の部材または前記第２の部材のいずれか一方に配設され、前記第１の部材及び前記第２の部材で挟んだ状態で前記光ファイバテープ心線の一部を収容し、前記光ファイバテープを長手方向に通過させる溝状部と、
（ｃ）　前記第１の部材または前記第２の部材の少なくとも一方に設けられ、前記溝状部に収容される前記光ファイバテープ心線に向かって突出し、前記光ファイバテープ心線の長手方向に対して１．５ｍｍ以上の間隔を置いて配置され、前記溝状部を通過させることにより前記光ファイバテープ心線を単心の光ファイバ心線に分離する複数の分割刃と、
を備えることを特徴とする光ファイバ心線分離工具。
【請求項２】
前記光ファイバテープ心線を収容し通過させる溝状部が、前記第１の部材と前記第２の部材とに分割して配設されていることを特徴とする請求項１に記載の光ファイバテープ心線分離工具。
【請求項３】
前記第１の部材及び前記第２の部材のそれぞれに前記分割刃が設けられ、前記第１の部材及び前記第２の部材に設けられる前記分割刃は前記溝状部に収容される前記光ファイバテープ心線を挟んで互いに対抗する位置に配設されていることを特徴とする請求項１または２に記載の光ファイバテープ心線分離工具。
【請求項４】
前記分割刃の前記テープ芯線への挿入深さｄｍｍと前記テープ芯線の厚みｔｍｍの関係が、０．０９≦ｄ／ｔ≦０．５からなることを特徴とする請求項３に記載の光ファイバテープ芯線分離具。
【発明の詳細な説明】
【０００１】
【発明の属する技術分野】
本発明は、ケーブル内に収容された多心線光ファイバテープ心線（以下「光ファイバテープ心線」と称する）を個々の光ファイバ心線に分離する分離工具に関する。
【０００２】
【従来技術】
特許第２７６８７８３号公報に、テープ心線に傷を入れ、せん断力によりテープ心線を分離する工具が提案されている。この分離工具は、主として光ファイバテープ心線の端末部分での単心分離の用途に使用されるものである。
【０００３】
【発明が解決しようとする課題】
一方、近年、光加入線路網の構築が急速に進んでいる。一般住宅に光ファイバを引き込む場合、多くの光ファイバ心線が収容されたスロット型アクセスケーブルから必要な光ファイバ心線を取り出して、各戸の軒先まで光ファイバ心線を配線（引き落とし）するためのドロップケーブルに接続する。図１４（ａ）にスロット型アクセスケーブルの一例を示す。光ファイバケーブル３０が支持線３１により連結部材３２を介して吊り下げられている。この光ファイバケーブル３０は外被（シース）３３と、ケーブルコア３５と、このコアに設けられたＳＺスロット３４に収容された光ファイバテープ心線の積層体から成る。光ファイバテープ心線は、複数の光ファイバ心線を平面的に配列し一体的に被覆した多心線である。
【０００４】
図１４（ｂ）に図１４（ａ）に示すＡ−Ａ’線方向断面図を示す。図をわかり易くするため、断面部のハッチングは省略している。支持線３１は単行線３９を複数本撚り合わせて構成されており、複数のスロット３４内には、複数の光ファイバ心線を一体的化した光ファイバテープ心線３６が、多数収容されている（例えば、図１４（ｂ）では、４心線光ファイバテープ心線を５層に積層したものを示している）。図１４（ｃ）は各戸毎に光ファイバ心線を引き落とすためのドロップケーブルの一例を示す断面図である。ドロップケーブルは、光ファイバ心線４２及び２本の銅線４３とからなるケーブル本体部と、ケーブル本体を支持する支持線４１とからなる。
【０００５】
光ファイバの戸別軒先への引き落としは、１加入１心線が最低単位となるため、スロット型アクセスケーブルから任意の一つの光ファイバ心線を取り出して、ドロップケーブルに接続することが望ましい。そのためにはスロット型アクセスケーブルに収容されている光ファイバテープ心線３６を単心の光ファイバ心線に分離し、接続する光ファイバ心線を取り出す必要がある。
【０００６】
光ファイバケーブル３０から分岐のための光ファイバ心線を取り出すためには、図示するように外被３３を剥き、ＳＺスロット３４から光ファイバテープ心線３６を取り出し、これを個々の心線に分離し、分離された心線を切断してドロップケーブルに接続する作業を行なう。しかし、上述したように、従来の分離工具は構造上分離工具自体の形状が大きく、この工具によりクロージャ内に収容された光ファイバテープ心線を中間部で取りだし単心線に分離しようとすると、ケーブル各部及びケーブルから取り出される他の光ファイバテープ心線が干渉して、作業性が悪い。すなわち、従来の分離工具は、光ファイバテープ心線の中間部において、光ファイバ心線の品質を損なうことなく単心に分離する工具には適していない。
【０００７】
そのため、従来、１個の光ファイバ心線の需要（「１心の需要」と称する）であっても、各ドロップケーブルに１個の光ファイバテープ心線を割り振っていた。しかしこれでは、例えば、４個の光ファイバ心線からなる光ファイバテープ心線の場合には、３個の光ファイバ心線が無駄になる。かかる無駄をなくし、光ファイバ資源を有効に利用するため、クロージャ内のテープ心線を中間で分離できるコンパクトで、作業性に優れた分離工具が求められている。
【０００８】
本発明は、このような従来技術の課題に鑑みて為されたもので、作業性に優れており、光ファイバテープ心線の中間部で単心の光ファイバ心線に正確に分離することができるコンパクトな光ファイバテープ心線分離工具を提供することをその目的とする。
【０００９】
【課題を解決するための手段】
本発明は、溝状部内に保持した光ファイバテープ心線を長手方向に移動させることにより、溝状部内に突出し摺動方向に所定の間隔を持って配設された分割刃により光ファイバテープ心線を単心の光ファイバ心線に分離する分離工具を提供することにより上記課題を達成するものである。
【００１０】
本発明の第一の態様にかかる光ファイバテープ心線分離工具は、複数の光ファイバ心線を平面的に配列し一体的に被覆した多心線からなるファイバテープ心線を、単心の光ファイバ心線に分離する工具であって、（ａ）第１の部材と第２の部材とにより光ファイバテープ心線を挟み込み長手方向に摺動可能に保持する保持部材と、（ｂ）第１の部材または第２の部材のいずれか一方に配設され、第１の部材及び第２の部材で挟んだ状態で光ファイバテープ心線の一部を収容し、光ファイバテープを長手方向に通過させる溝状部と、（ｃ）第１の部材または第２の部材の少なくとも一方に設けられ、溝状部に収容される光ファイバテープ心線に向かって突出し、光ファイバテープ心線の長手方向に１．５ｍｍ以上の間隔を置いて配置され、溝状部を通過させることにより光ファイバテープ心線を単心の光ファイバ心線に分離する複数の分割刃とを備えることを特徴とする。
【００１１】
この態様により、光ファイバテープ心線を溝部内に挟みこみ摺動させるだけで、単心の光ファイバ心線への分離が可能となる。また、溝状部内に突出する複数の分割刃のみで分離するという単純な構造であるため、小型化も可能である。さらに、複数の分割刃を摺動方向（光ファイバテープ心線の長手方向）に１．５ｍｍ以上の間隔をおいてずらして配置することにより、個々の分割刃が光ファイバテープ心線に挿入されることにより発生する幅方向への応力が、外側に逃がされる。そのため、分割刃に生じる摺動時の摩擦力が軽減され、正確な分割が可能となるのみならず、比較的小さな力で光ファイバテープ心線を移動させることができ、単心への分離操作が容易となる。隣り合う分割刃の間隔は、光ファイバテープ心線を一体化するために被覆する外皮部材の材質、光ファイバ心線の径等によって決定される分割刃への応力、摺動摩擦力に応じて確定することが可能であるが、間隔を１．５ｍｍ以上とすることにより、現在、汎用されている光ファイバテープ心線を、大きな品質の低下を生じさせることなく確実に単心に分離することが可能となる。この場合において、分割刃の間隔が全て同じである必要はない。
【００１２】
本発明の他の態様にかかる光ファイバテープ心線分離工具は、光ファイバテープ心線を収容し通過させる溝状部が、第１の部材と第２の部材とに分割して配設されていることを特徴とする。本態様により、光ファイバテープ心線が上面及び下面から均等に保持されるため、より正確に光ファイバテープ心線を摺動することが可能となる。
【００１３】
本発明の他の態様にかかる光ファイバテープ心線分離工具は、第１の部材及び第２の部材のそれぞれに複数の分割刃が設けられ、第１の部材の分割刃及び第２の部材の分割刃は溝状部に収容される光ファイバテープ心線を挟んで互いに対抗する位置に配設されていることを特徴とする。本態様によると、光ファイバテープ心線が上面及び下面から均等に分割されるため、より正確かつ滑らかに分離することが可能となる。
【００１４】
本発明の他の態様にかかる光ファイバテープ心線分離工具は、第１の部材及び第２の部材に分割刃が設けられる場合において、分割刃の光ファイバテープ心線への挿入深さｄｍｍと光ファイバテープ心線の厚みｔｍｍの関係が、０．０９≦ｄ／ｔ≦０．５であることを特徴とする。本態様によると、正確な光ファイバ心線への分離が可能となる。すなわち、ｄ／ｔ＜０．０９では正確な分離ができ無い場合が発生し、ｄ／ｔ＞０．５では、上下の分割刃が干渉してしまう。
【００１５】
【発明の実施の形態】
本発明の実施の形態について図１から図１３を用いて説明する。図１は、本発明の一実施例に係る分離工具の外観を示す斜視図を示す。本実施例にかかる分離工具は、第１の部材１と、第２の部材２とが、クロスされてほぼ中央部で軸３により回転可能に固定された構成となっている。第２の部材２の先端部には溝状部７が設けられており、第１の部材と第２の部材が互いに係合したときに溝状部７の上部開口が第１の部材により閉じられる。
【００１６】
光ファイバテープ心線（以下、適宜「テープ心線」と略称する）を単心線に分離する際には、第２の部材２に設けられた溝状部７にテープ心線を収容して第１の部材１及び第２の部材により挟み込み、テープ心線を長手方向に摺動可能に保持する。第１の部材及び第２の部材の他端部には、第１の把持部１０及び第２の把持部２０が設けられている。把持部１０及び２０を互いに近づける方向に回転させ閉じると、溝上部７が設けられた他端部が閉じ、溝状部７内にテープ心線の一部が摺動可能に保持される。
【００１７】
テープ心線を単心の光ファイバ心線に分離する場合、溝状部７内にテープ心線を収容し保持ながら長手方向に摺動させる。図２は、第２の部材２の先端部及び溝状部７を示す拡大部分斜視図である。溝状部７は、テープ心線の幅ｗより僅かに大きい幅ｗ＋αを有している。溝状部７は、テープ心線の左右及び上下の動きを規制しつつ長手方向に摺動通過させるものであるため、テープ心線の形状に適合する形状とすることが好ましい。テープ心線と分離工具は相対的に移動すれば良いので、摺動操作は、本分離工具を固定してテープ心線を移動させるようにしても、またテープ心線を固定して分離工具を移動させるようにしてもよい。本実施例では、溝状部７を上記部材の長手方向と略直角方向に設けた構造をその１例として示している。しかし、テープ心線を摺動させるための操作性の観点から、図１に破線８で示すような斜めに配置する構成としてもよい。このような構成により、体に密着させて使用することが容易となり、さらに安定した摺動操作が可能となる
【００１８】
溝状部７の内部には、テープ心線を挟み込み摺動したときに、テープ心線の皮膜を加傷し分離するための分割刃が設けられている。本実施例では、３個の分割刃１１〜１３が設けられ、４個の光ファイバ心線を一体化したテープ心線を４つの単心線に分割する。分割刃１１〜１３の幅方向の位置は、テープ心線を構成する隣接する光ファイバ心線の中間位置に一つづつ配置され、各分割刃１１〜１３は光ファイバテープ心線の長手方向に所定の間隔を持って配置される。分割刃相互の配置間隔及び突出量については、後述する。
【００１９】
分割刃は、テープ心線を上下から均等かつ滑らかに分割するためにテープ心線を挟みこむ第１の部材１と第２の部材２の双方に対抗するように設けることが好ましいが、何れか一方に上記加傷刃３を設ける構成とすることも可能である。また、３本の分割刃１１〜３は横方向の位置をずらされて配置され、止めネジ４で固定されている。本実施例では、分割刃として針状の加傷刃を示しているが、針状に限らず、一定の長さがある板状の加傷刃でもよく、その本数は対象とする光ファイバテープ心線の心線数と分割する態様に応じて設定することができる。
また、この実施例では、溝状部７を第２の部材のみに設けているが、第１の部材に設けてもよく、また、溝状部７を分割して第１の部材及び第２の部材の双方に設けてもよい。
【００２０】
本実施例では、第１の部材１と第２の部材２とは略角型の構成としている。必ずしもこのような略角型にする必要はないが、このような角型形状とすると人手で保持した際に、回転しにくい点という利点を有する。第１の部材１とその把持部１０、第２の部材２とその把持部２０は、人手で取扱いが容易なように中間部で回転軸３を備えた、てこ状部材を構成している。この構成により、少ない力でテープ心線を挟み保持できる。
【００２１】
図２に示すように、第２の部材２には、位置合わせピン２３、ガイドピン２１、ガイドピン２２が設けられている。位置合わせピン２３は第１の部材１と第２の部材２が適正に嵌合するためのピンであり、第１の部材には対応する位置に図示しないピン孔が設けられている。また、ガイドピン２１と２２は上記溝状部７に光ファイバテープ心線が適正に挿入されるように担保するガイドピンであり、第１の部材１の対応する位置には図示しないピン孔が設けられている。分離工具は現場で人手により使用されるので、人手による保持が容易なような寸法、好ましくは全長１５０ｍｍ程度である。
【００２２】
工具により挟み付けられた状態で、光ファイバテープ心線を矢印５で示す方向に人手あるいは機械的に引抜くことにより、光ファイバテープ心線に傷を付け、例えば４心線光ファイバテープ心線を単心線×４本に分離する。光ファイバテープ心線を引き抜のではなく、光ファイバテープ心線を固定し、工具を移動させることにより単心線に分離することも可能である。この例では、４心線光ファイバテープ心線を示しているが、テープ心線内の心線の本数は限定されない。但し、例えば２心線から３２心線程度のテープ心線であることが好ましい。テープ心線から単心の光ファイバ心線への分離は、摺動操作のみにより完全に分離されることが望ましい。しかし、必ずしもその必要はなく、傷をつけられたテープ心線をその後適宜最終的に分離することができる程度に加傷するように構成してもよい。
【００２３】
図３は図１に示す分離工具を挟み付けた状態を示す正面図であり、図４は図３に示す分離工具を挟み付けた状態のＢ−Ｂ’線における長手方向の断面（縦断面）の一部を示す図である。溝状部７に第２の部材２に設けられた分割刃１１〜１３が下から上に突出しており、第１の部材１に設けられた分割刃１４〜１６が上から下に突出している。また、分割刃１１及び１４がねじ４により固定されている状態が示されている。図５は、テープ心線３６が挟時されつつ矢印方向に摺動されることにより、光ファイバ心線の単線に分離される状態を示している。テープ心線３６の分離にあたっては、図５に示すように分離工具によりテープ心線３６を挟みこみ、テープ心線３６が保持された状態で溝部７内を通過するように、テープ心線３６または分離工具２を移動させる。これにより、テープ心線３６の上下面に、分割刃に対応した切り込み１７、１８、１９等が入り、単心線に分離される。
【００２４】
次に、図６を用いて分割刃１１〜１３の配置について説明する。図６は、本発明の一実施形態にかかる溝状部７の分割刃の配置を説明するための図であり、溝状部７を開口部から見た平面図である。テープ心線３６を破線で示している。分割刃１１〜１３は、それぞれのテープ心線３６の幅方向に光ファイバ心線を単心に分割する間隔ｂ１〜ｂ４を持って配置され、摺動方向（テープ心線の長手方向）に所定の間隔ａ１、ａ２を持って配置される。ｂ１〜ｂ４は、光ファイバ心線の径等によって定まる。長手方向の間隔ａ１、ａ２は、必ずしも同じ間隔である必要はなく、テープを分割する際の摺動操作時にかかる応力、摺動摩擦等を考慮して定められる。この点については後述する。
【００２５】
図７は、図４に示すＣ−Ｃ’線方向の断面図である。溝状部７内に収容されるテープ心線３６を破線で示している。“ｔ”はテープ心線の厚みを表し、“ｃ１”は第１の部材１から突出する分割刃１４〜１６のテープ心線３６の上面への挿入深さを、“ｃ２”は第２の部材２から突出する分割刃１１〜１３のテープ心線３６の下面への挿入深さを表している。
【００２６】
図６、図７からわかるように、本発明に係る工具では、テープ心線３６内の光ファイバ心線と光ファイバ心線の間に分割刃を入れ、矢印方向に移動させることにより、この分割刃１１〜１６の切り込みによって分割する。このように溝状部７に突出する分割刃のみによって分割する構成であり、他の複雑な機械的な機構を有しない。そのため、分離工具のサイズを小型し、コンパクトな操作性に優れた形状とすることが可能である。図８に、分離工具をテープ心線の長手方向に移動させることにより、テープ心線３６の上面及び下面に生じる切りこみ１７〜１９及び２７〜２９のイメージ図を示す。図８では、下面の切込みが見えるように、テープ心線３６の端面から切込みが入れられた状態を示しているが、実際には、連続したテープ心線の中間部分に切込みを入れ、単心の光ファイバ心線２５に分離することができる。各分割刃はテープ心線の長手方向に所定の間隔を置いて設けられている。そのため、各分割刃による切込み最先端位置が、テープ心線の幅方向に対して所定の角度をもって斜めにずれた位置となることが重要な意味を持つ。
【００２７】
次に、分割刃１１〜１３及び１４〜１６をテープ心線の長手方向に所定の間隔を置いて配置する理由について、図９及び図１０を用いて説明する。図９（ａ）（ｂ）は、分割刃を長手方向に対して間隔を置くことなく垂直に配置した場合の作用について説明する図であり、図１０は、分割刃を長手方向に対して一定の間隔を置いて配置した場合の作用の違いについて説明する図である。分割刃４４〜４６を長手方向に対して間隔を明けずに配置した場合、図９（ａ）に示すように、テープ心線３６の幅方向の同じ位置（摺動方向に垂直な位置）に同時に切りこみが入る。このように摺動方向に対して垂直な位置に同時に切りこみが入ると、図９（ｂ）に示すように、分割刃４６の切り込み挿入に伴うテープ被覆材３８への応力ｆ１が隣接する分割刃４５を押圧し、分割刃４５の切り込み挿入に伴う応力ｆ２が隣接する分割刃４６、４４を押圧するので、摺動時における分割刃とテープ被覆部材３８の摩擦が増大する。摺動摩擦が増大すると、分離工具使用時に大きな力が必要となり、作業性が低下するばかりでなく、被分離心線に誤って小さな径の曲がりが入り、損失変動が生じる恐れがある。
【００２８】
これに対して、図１０に示すようにテープ心線長手方向に一定の間隔を持って分割刃１４〜１６を配置すると、図１０（ａ）に示すように、光ファイバ心線３７が順次単心線に分離される。その理由は図１０（ｂ）に示すように、まず分割刃１４〜１６及び１１〜１３の幅方向には他の分割刃が存在しないため、例えば、分割刃１６の挿入に伴う応力は他の分割刃１５、１４により止められることなく右方向に逃がされて分割刃の摺動摩擦は軽減される。一方、溝状部７の側壁等とテープ心線３６の被覆部材３８との適度の摺動摩擦により、各光ファイバ心線３７がテープ心線３６から分離される。溝状部７の幅はテープ心線３６の幅ｗよりもαだけ大きくしてあり、このαはこのような作用を奏するように、分割刃の厚みを考慮して定められる。
【００２９】
表１に、分割刃の間隔を変えた場合の摩擦力と、その分離工具を使用して実際にクロージャ内のテープ心線を分割した場合における伝送損失変動の測定結果を示す。分割作業はクロージャ内の被分割テープ心線を分離工具により挟みつけ、工具をテープ心線の長手方向に動かして、加傷して分割を行なった。損失変動は５０回中、測定中心波長１．５５μｍで１．０ｄＢ以上の損失が何回発生したかを示している。
【００３０】
【表１】
2004094143.tif 000003
【００３１】
表１に示すように、分割刃の間隔が１．５ｍｍ以上となる場合、摩擦力は３５０ｇ以下となり、クロージャ内での単心分離作業で問題となるような損失変動（１・０ｄＢ以上）は測定されなかった。分割時の摩擦力が大きい場合には、分割作業に大きな力を必要とし、工具の微妙な動かし方によっては、テープ心線に大きな力がかかってしまう。その力によってテープ心線に曲げが入り、損失の増加を引き起こすものと考えられる。表１より、分割刃の間隔を１．５ｍｍ以上にすると、より安全確実に単心分離を行なうことが可能となることがわかる。
【００３２】
次に分割刃のテープ心線への挿入深さについて説明する。本発明の分離工具は、分割刃のみで光ファイバの分割を行なうため、分割刃の挿入量（深さ）の設定が重要となる。表２に分割刃の挿入深さを変えた分割作業を行なった場合における単心分離の状況（単心分離性）と、単心に分離された光ファイバ心線のダメージの状況を示す。単心分離性は、分離作業を行なったときに、テープ心線内の単心に分離された全ての光ファイバ心線が完全に分離されている状態を「可」とし、１本でも分離不良がある場合には不可とした。また、光ファイバ心線のダメージについては、分離後の心線の破断強度を測定して、そのダメージの有無を確認した。表２は、テープ心線の厚さｔは０．３２ｍｍのものを使用し、上下に分割刃を設けて分離する場合についてのデータを示している。
【００３３】
【表２】
2004094143.tif 000004
【００３４】
表２に示すように、テープ心線の厚みをｔとし、挿入深さｄとしたときのｄ／ｔの関係が、０．０９≦ｄ／ｔ≦０．５のときに、分離性がよくダメージもない良好で安定した分離作業が可能となる。
【００３５】
図１１は、本発明の他の実施例として、第１の部材１と第２の部材２に分割した溝状部５０及び５１を設けた分離工具を示している。図１２は、本発明のさらに他の実施形態を示す斜視図であり、複数の溝状部５２〜５４を有している。溝状部５２〜５４は、多心線からなるテープ心線の種類に応じて設けられている。図１２では、外側から内側にかけて、心線数が多いテープ心線を分離するための溝状部が設けられている。しかし、その逆に外側の溝状部５２を心線数の多いテープ心線のための溝状部とすることも可能である。図１３は、本発明に係る分離工具のさらに他の実施形態を示す図である。この実施形態では、図１の例と異なりハンドル部がなく、第１の部材１と第２の部材２は、それぞれの端部で回転軸３で相互に連結され、例えば人手により第１の部材１と第２の部材２を押し付けて光ファイバ心線の分離を行なう構造である。工具の部材が簡略されて図示されており、図１の実施例と機構的には何ら変わりはない。
【００３６】
【発明の効果】
以上説明したように、本発明にかかる分離工具によると、分割刃をテープ心線の摺動方向に所定の間隔を持って配置する構造としたことにより、光ファイバテープ心線を分割する際の摩擦を少なくすることが可能となり、分離作業性が向上し、かつ分離作業に伴なう光ファイバ心線の品質劣化を防止することが可能となる。さらに、本は発明の分離工具では、分割刃の光ファイバテープ心線への挿入深さを所定の範囲としたため、単心分離性を良くし、光ファイバ心線にダメージを与えることなく分離することが可能となる。
【図面の簡単な説明】
【図１】本発明の一実施形態に係る捜索支援システムの全体構成を示す概念図である。
【図２】本発明にかかる第２の部材２の先端部及び溝状部７を示す拡大部分斜視図である。
【図３】図１に示す分離工具を挟み付けた状態を示す正面図である。
【図４】図３に示す分離工具を挟み付けた状態のＢ−Ｂ’線における長手方向の断面（縦断面）の一部を示す図である。
【図５】テープ心線３６が挟時されつつ矢印方向に摺動されることにより、光ファイバ心線の単線に分離される状態を示す斜視図である。
【図６】本発明の一実施形態にかかる溝状部７の分割刃の位置を説明するための図であり、溝状部７を開口部から見た平面図である。
【図７】図４に示すＣ−Ｃ’線方向の断面図である。
【図８】本分離工具を摺動することにより光ファイバテープ心線の上面及び下面に生じる切込みのイメージ図を示す斜視図である。
【図９】分割刃を長手方向に対して間隔を置くことなく垂直に配置した場合の作用について説明するためのイメージ図である。
【図１０】分割刃を長手方向に対して一定の間隔を置いて配置した場合の作用の違いについて説明するためのイメージ図である。
【図１１】第１の部材１と第２の部材２に分割した溝状部５０及び５１を設けた本発明の他の実施例にかかる分離工具を示す斜視図である。
【図１２】本発明のさらに他の実施形態を示す斜視図である。
【図１３】本発明に係る分離工具のさらに他の実施形態を示す斜視図である。
【図１４】（ａ）はスロット型アクセスケーブルの一例を示す図であり、（ｂ）は（ａ）に示すＡ−Ａ’線方向の断面図、（ｃ）は各戸毎に光ファイバ心線を引き落とすためのドロップケーブルの一例を示す断面図である。
【符号の説明】
１　第１の部材
２　第２の部材
３　回転軸
４　分割刃の止めネジ
７　溝状部
１０、２０　把持部
１１〜１６　分割刃
１７〜１９、２７〜２９　切込み
２１、２２　溝に光ファイバ心線を適正に挿入するためのガイドピン
２３　上部材と下部材とを適正に位置決めするためのピン
３０　光ファイバケーブル
３５　光ファイバケーブルのコア
３６　光ファイバテープ心線
３７　光ファイバ心線
【図１】
2004094143.tif 000005
【図２】
2004094143.tif 000006
【図３】
2004094143.tif 000007
【図４】
2004094143.tif 000008
【図５】
2004094143.tif 000009
【図６】
2004094143.tif 000010
【図７】
2004094143.tif 000011
【図８】
2004094143.tif 000012
【図９】
2004094143.tif 000013
【図１０】
2004094143.tif 000014
【図１１】
2004094143.tif 000015
【図１２】
2004094143.tif 000016
【図１３】
2004094143.tif 000017
【図１４】
2004094143.tif 000018